(57)【要約】【課題】複数のユーザー毎に異なる印刷物を印刷させることができる新聞紙面印刷装置を提供すること。【解決手段】新聞紙面印刷装置は、印刷物に印刷される印面の情報である印面情報を当該印面情報の生成指示毎に生成し、生成した前記印面情報と、新聞の発刊日を示す発刊日情報が対応付けられた前記新聞の新聞データを記憶する記憶部から読み出した所定の発刊日の前記新聞データとを組み合わせた前記印刷物を印刷する。【選択図】図４
2017021600.tif 000002
【特許請求の範囲】
【請求項１】
印刷物に印刷される印面の情報である印面情報を当該印面情報の生成指示毎に生成し、生成した前記印面情報と、新聞の発刊日を示す発刊日情報が対応付けられた前記新聞の新聞データを記憶する記憶部から読み出した所定の発刊日の前記新聞データとを組み合わせた前記印刷物を印刷する、
新聞紙面印刷装置。
【請求項２】
前記印面情報には、前記新聞紙面印刷装置が前記印刷物を印刷する毎に変化させることができない不変情報と、前記新聞紙面印刷装置が前記印刷物を印刷する毎に変化させることができる可変情報とが含まれる、
請求項１に記載の新聞紙面印刷装置。
【請求項３】
前記不変情報とは、新聞紙面印刷装置が設置された場所に応じた情報である、
請求項２に記載の新聞紙面印刷装置。
【請求項４】
前記不変情報とは、情報処理装置が前記不変情報に応じた情報を表示することが可能な情報である、
請求項３に記載の新聞紙面印刷装置。
【請求項５】
前記可変情報には、前記新聞紙面印刷装置が前記印刷物を印刷する際にユーザーにより入力された日付に基づく日付関連情報と、所定の期間において前記新聞紙面印刷装置が前記印刷物を印刷した印刷数を示す印刷数情報と、所定の期間において前記新聞紙面印刷装置が設置された場所に来場した来場者数を示す来場者数情報とのうち少なくとも１つが含まれる、
請求項２から４のうちいずれか一項に記載の新聞紙面印刷装置。
【請求項６】
コンピューターに、
印刷物に印刷される印面の情報である印面情報を当該印面情報の生成指示毎に生成させる第１ステップと、
新聞の発刊日を示す発刊日情報が対応付けられた前記新聞の新聞データを記憶する記憶部から所定の発刊日の前記新聞データを読み出させる第２ステップと、
前記第１ステップにより生成された前記印面情報と、前記第２ステップにより読み出された前記新聞データとを組み合わせた前記印刷物を印刷させる第３ステップと、
を実行させるためのプログラム。
【発明の詳細な説明】
【技術分野】
【０００１】
この発明は、新聞紙面印刷装置、及びプログラムに関する。
【背景技術】
【０００２】
所望の日付を入力することにより、当該日付の日に発刊された新聞の紙面を印刷した印刷物を出力する新聞出力装置が知られている（特許文献１参照）。
【先行技術文献】
【特許文献】
【０００３】
【特許文献１】特開２００８−２９９８７２号公報
【発明の概要】
【発明が解決しようとする課題】
【０００４】
しかしながら、従来の新聞出力装置では、印刷物の出力指示毎に内容の異なる印刷物を出力することが出来ないという問題があった。その結果、当該新聞出力装置では、例えば、複数のユーザー毎に異なる印刷物を印刷させることが出来なかった。
【０００５】
そこで本発明は、上記従来技術の問題に鑑みてなされたものであり、複数のユーザー毎に異なる印刷物を印刷させることができる新聞紙面印刷装置、及びプログラムを提供する。
【課題を解決するための手段】
【０００６】
本発明の一態様は、印刷物に印刷される印面の情報である印面情報を当該印面情報の生成指示毎に生成し、生成した前記印面情報と、新聞の発刊日を示す発刊日情報が対応付けられた前記新聞の新聞データを記憶する記憶部から読み出した所定の発刊日の前記新聞データとを組み合わせた前記印刷物を印刷する、新聞紙面印刷装置である。
【０００７】
また、本発明の他の態様は、新聞紙面印刷装置において、前記印面情報には、前記新聞紙面印刷装置が前記印刷物を印刷する毎に変化させることができない不変情報と、前記新聞紙面印刷装置が前記印刷物を印刷する毎に変化させることができる可変情報とが含まれる、構成が用いられてもよい。
【０００８】
また、本発明の他の態様は、新聞紙面印刷装置において、前記不変情報とは、新聞紙面印刷装置が設置された場所に応じた情報である、構成が用いられてもよい。
【０００９】
また、本発明の他の態様は、新聞紙面印刷装置において、前記不変情報とは、情報処理装置が前記不変情報に応じた情報を表示することが可能な情報である、構成が用いられてもよい。
【００１０】
また、本発明の他の態様は、新聞紙面印刷装置において、前記可変情報には、前記新聞紙面印刷装置が前記印刷物を印刷する際にユーザーにより入力された日付に基づく日付関連情報と、所定の期間において自装置が印刷した印刷数を示す印刷数情報と、所定の期間において前記新聞紙面印刷装置が設置された場所に来場した来場者数を示す来場者数情報とのうち少なくとも１つが含まれる、構成が用いられてもよい。
【００１１】
また、本発明の他の態様は、コンピューターに、印刷物に印刷される印面の情報である印面情報を当該印面情報の生成指示毎に生成させる第１ステップと、新聞の発刊日を示す発刊日情報が対応付けられた前記新聞の新聞データを記憶する記憶部から所定の発刊日の前記新聞データを読み出させる第２ステップと、前記第１ステップにより生成された前記印面情報と、前記第２ステップにより読み出された前記新聞データとを組み合わせた前記印刷物を印刷させる第３ステップと、を実行させるためのプログラムである。
【発明の効果】
【００１２】
本発明の新聞紙面印刷装置、及びプログラムは、複数のユーザー毎に異なる印刷物を印刷させることができる。
【図面の簡単な説明】
【００１３】
【図１】本実施形態に係る新聞紙面印刷装置１０の外観の一例を示す斜視図である。
【図２】本実施形態に係る新聞紙面印刷装置１０の構成の一例を示す図である。
【図３】新聞紙面印刷装置１０が印刷する印刷物の一例を示す図である。
【図４】新聞紙面印刷装置１０の機能構成の一例を示す図である。
【図５】新聞データ記憶部２５２が記憶する新聞データ情報の一例を示す図である。
【図６】新聞紙面印刷装置１０を適用した新聞紙面印刷システム１の全体構成の一例を示す図である。
【図７】新聞紙面印刷装置１０の処理手順の例を示すフローチャートである。
【図８】表示制御部２１１が表示部２３０に表示させる新聞種類選択メニューの一例を模式的に示す図である。
【図９】表示制御部２１１が表示部２３０に表示させるメインメニューの一例を模式的に示す図である。
【図１０】表示制御部２１１が表示部２３０に表示させる日付入力メニューの一例を示す図である。
【図１１】表示制御部２１１が表示部２３０に表示させる記念日一覧選択メニューの例を模式的に示す図である。
【図１２】表示制御部２１１が表示部２３０に表示させる他情報入力メニューの例を模式的に示す図である。
【図１３】表示制御部２１１が表示部２３０に表示させる占い情報入力メニューの一例を模式的に示す図である。
【図１４】制御装置１００が表示装置１１０に表示させるプレビュー画像の一例を模式的に示す図である。
【図１５】対応情報サーバーが格納する対応情報の一例を示す図である。
【発明を実施するための形態】
【００１４】
＜実施形態＞
以下、本発明の実施形態について、図面を参照して説明する。まず、図１及び図２を参照し、本実施形態に係る新聞紙面印刷装置１０の外観の一例、及び新聞紙面印刷装置１０の構成の一例について説明する。図１は、本実施形態に係る新聞紙面印刷装置１０の外観の一例を示す斜視図である。また、図２は、本実施形態に係る新聞紙面印刷装置１０の構成の一例を示す図である。
【００１５】
図１に示すように、新聞紙面印刷装置１０は、筐体１１の上部にフレーム１２を突設して構成される。筐体１１の内部には、図２に示した制御装置１００と、表示装置１１０と、タッチパネル１２０と、印刷機１３０と、釣銭機１４０とが設置されている。すなわち、新聞紙面印刷装置１０は、制御装置１００と、表示装置１１０と、タッチパネル１２０と、印刷機１３０と、釣銭機１４０とを備える。
【００１６】
制御装置１００は、新聞紙面印刷装置１０の全体を制御する装置である。制御装置１００は、図示しない中央処理装置（Ｃｅｎｔｒａｌ  Ｐｒｏｃｅｓｓｉｎｇ  Ｕｎｉｔ；ＣＰＵ）と、図示しない記憶装置（例えば、半導体記憶装置）とを備える。ＣＰＵが記憶装置に記憶されたプログラムを読み込んで実行することにより、制御装置１００は、表示装置１１０と、タッチパネル１２０と、印刷機１３０と、釣銭機１４０とを制御する。また、制御装置１００は、印刷機１３０に印刷させる印刷情報を生成する。制御装置１００の機能の詳細については、後述する。
【００１７】
表示装置１１０は、制御装置１００が出力する情報を表示する。例えば、表示装置１１０は、液晶ディスプレイパネル、あるいは、有機ＥＬ（ＥｌｅｃｔｒｏＬｕｍｉｎｅｓｃｅｎｃｅ）ディスプレイパネル等により実現される。
【００１８】
タッチパネル１２０は、ユーザー（例えば、顧客）によって操作される操作入力受付部である。例えば、タッチパネル１２０は、表示装置１１０の表示面に積層して構成される。制御装置１００がグラフィカルユーザインターフェース（Ｇｒａｐｈｉｃａｌ  Ｕｓｅｒ  Ｉｎｔｅｒｆａｃｅ；ＧＵＩ）画像を表示装置１１０に表示させ、当該ＧＵＩ画像をユーザーにタップ（タッチ）させることにより、タッチパネル１２０は、操作入力を受け付けて、操作内容を示す操作情報を制御装置１００に供給する。制御装置１００は、ＧＵＩ画像に対応する操作情報を取得することによってユーザーからの指示を得る。
【００１９】
印刷機１３０は、制御装置１００が生成した印刷情報を媒体に印刷する。すなわち、この一例において、新聞紙面印刷装置１０が印刷する印刷物は、制御装置１００が生成した印刷情報が印刷された媒体のことを示す。例えば、媒体は、Ａ３サイズの紙媒体である。なお、媒体は、Ａ３サイズに代えて、他のサイズであってもよい。また、例えば、媒体は、樹脂製の媒体であってもよい。また、印刷機１３０の印刷色は、カラーでもモノクロでもよい。
【００２０】
釣銭機１４０は、ユーザーから投入された硬貨（例えば、１００円硬貨）を取り込み格納する。なお、釣銭機１４０は、紙幣を取り込み格納するようにしてもよい。また、釣銭機１４０は、制御装置１００の制御に基づいて、投入された貨幣に対しておつりがある場合に、このおつりの金額の貨幣を出力するようにしてもよい。また、釣銭機１４０は、偽貨幣や大きな傷や損傷等があって判別不能な貨幣をリジェクト貨幣として検出し、このリジェクト貨幣を出力するようにしてもよい。
【００２１】
また、図１に示したように、筐体１１の上面側には開口部１４が設けられている。表示装置１１０は、開口部１４に表示面が合わさるように筐体１１の内部に設けられている。
フレーム１２の下部には、硬貨の投入排出口１３が設けられている。投入排出口１３から投入された硬貨は、釣銭機１４０に供給される。また、釣銭機１４０が貨幣を出力した場合、当該貨幣は投入排出口１３から排出される。
筐体の正面には、印刷機１３０が印刷した媒体を排出するための媒体排出口１５が設けられている。
フレーム１２の正面には、パネル１６が取り付けられている。例えば、パネル１６は、広告パネルである。なお、映像や静止画を表示する表示装置によりパネル１６を構成してもよい。
【００２２】
ここで、新聞紙面印刷装置１０の概略について説明する。新聞紙面印刷装置１０は、印刷物に印刷される印面の情報である印面情報を当該印面情報の生成指示毎に生成し、生成した印面情報と、新聞の発刊日を示す発刊日情報が対応付けられた当該新聞の新聞データを記憶する記憶部から読み出した所定の発刊日の新聞データとを組み合わせた印刷物を印刷する。これにより、新聞紙面印刷装置１０は、複数のユーザー毎に異なる印刷物を印刷させることができる。以下では、一例として、所定の発刊日の新聞の新聞データが、当該新聞の第一面の紙面データである場合について説明する。なお、所定の発刊日の新聞の新聞データは、当該新聞の第一面と異なる他の面（例えば、テレビ番組面等）の紙面データであってもよい。
【００２３】
図３は、新聞紙面印刷装置１０が印刷する印刷物の一例を示す図である。新聞紙面印刷装置１０が印刷する印刷物には、ユーザーにより入力された発刊日の新聞の新聞データと、印面情報とが含まれる。印面情報は、当該印刷物に印刷される印面であって、画像や文字列、記号等の組み合わせによって構成される印面を示す。以下では、一例として、印面情報が、新聞紙面印刷装置１０が印刷する印刷物に印刷されるスタンプである場合について説明する。図３に示した印刷物Ｐには、例えば、ユーザーにより入力された発刊日の新聞の新聞データＮと、スタンプＭとが含まれる。なお、印刷物Ｐには、これらに加えて、ユーザーの写真等の他の情報が含まれる構成であってもよい。
【００２４】
また、図３に示したスタンプＭには、不変情報Ｍ１と可変情報Ｍ２が含まれる。
不変情報Ｍ１は、新聞データ記憶部２５２が印刷物を印刷する毎に変化させることができない情報である。以下では、この一例として、不変情報Ｍ１が、新聞紙面印刷装置１０が設置された場所を表す設置場所画像である場合について説明する。なお、不変情報Ｍ１は、設置場所画像に代えて、新聞紙面印刷装置１０が設置された場所と無関係な他の画像であってもよい。また、不変情報Ｍ１は、画像に代えて、文字列や記号等の他の情報であってもよい。
【００２５】
可変情報Ｍ２は、新聞紙面印刷装置１０が印刷物を印刷する毎に変化させることができる情報である。例えば、可変情報Ｍ２には、日付関連情報と、印刷数情報と、来場者数情報と、占い情報とのうち少なくとも１つが含まれる。日付関連情報は、可変情報Ｍ２に含まれる情報のうち、ユーザーがスタンプに表示させたい所望の日付を示すスタンプ日付情報に基づく情報である。なお、スタンプ日付情報は、ユーザーにより入力された情報である。以下では、この一例として、日付関連情報が、スタンプ日付情報が示す日付を伴った記念日を表す画像である場合について説明する。以下では、説明の便宜上、当該記念日を表す画像を記念日画像と称して説明する。ここで、記念日は、例えば、誕生日やクリスマス等である。また、記念日画像は、例えば、記念日が誕生日の場合、誕生日ケーキの画像等である。なお、日付関連情報は、画像に代えて、文字列や記号等の他の情報であってもよい。新聞紙面印刷装置１０は、可変情報Ｍ２に記念日画像を日付関連情報として含むことにより、ユーザー毎に異なる記念日画像を含むスタンプが印刷された印刷物をユーザーに提供することができる。
【００２６】
印刷数情報は、所定の期間において新聞紙面印刷装置１０が印刷物を印刷した印刷数を示す情報である。所定の期間は、例えば、新聞紙面印刷装置１０がスタンプの生成指示を受け付けたタイミングから過去１週間である。なお、所定の期間は、当該タイミングから過去１ヶ月間等の他の期間であってもよい。新聞紙面印刷装置１０は、可変情報Ｍ２に印刷数情報を含むことにより、所定の期間においてユーザー毎に異なる印刷数情報を含むスタンプが印刷された印刷物をユーザーに提供することができる。
【００２７】
来場者数情報は、所定の期間において新聞紙面印刷装置１０が設置された場所に来場した来場者数を示す情報である。新聞紙面印刷装置１０は、可変情報Ｍ２に来場者数情報を含むことにより、所定の期間においてユーザー毎に異なる来場者数情報を含むスタンプが印刷された印刷物をユーザーに提供することができる。
【００２８】
占い情報は、例えば、ユーザーにより入力された２つの日付同士の日付差に基づく相性占いの結果を示す占い結果情報である。新聞紙面印刷装置１０は、可変情報Ｍ２に占い情報を含むことにより、例えば、恋人同士の誕生日の日付差による相性占いの結果を占い結果情報として含むスタンプが印刷された印刷物ユーザーに提供することができる。
【００２９】
なお、可変情報Ｍ２は、日付関連情報と、印刷数情報と、来場者数情報と、占い情報とのうちの一部又は全部に代えて、ユーザーの画像等の他の情報を含む構成であってもよい。
【００３０】
以下、図４を参照し、新聞紙面印刷装置１０の機能構成について説明する。図４は、新聞紙面印刷装置１０の機能構成の一例を示す図である。図４に示すように、新聞紙面印刷装置１０は、制御部２１０と、表示部２３０と、操作入力受付部２４０と、記憶部２５０と、通信部２６０と、印刷部２７０と、釣銭部２８０を備える。
制御部２１０と記憶部２５０は、制御装置１００に含まれる。表示部２３０は、表示装置１１０に相当する。操作入力受付部２４０は、タッチパネル１２０に相当する。印刷部２７０は、印刷機１３０に相当する。釣銭部２８０は、釣銭機１４０に相当する。
【００３１】
記憶部２５０は、例えば、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）などを含み、制御装置１００が処理する各種情報や画像、プログラムを格納する。なお、記憶部２５０は、制御装置１００に内蔵されるものに代えて、ＵＳＢ等のデジタル入出力ポート等によって接続された外付け型の記憶装置でもよい。
【００３２】
記憶部２５０は、例えば、新聞データ記憶部２５２と、不変情報記憶部２５４を備える。
新聞データ記憶部２５２は、記憶部２５０の記憶領域の一部である。新聞データ記憶部２５２は、新聞の発刊日を示す発刊日情報と、新聞を発刊する新聞社（新聞の種類）を識別する新聞社識別情報と、当該新聞の新聞データとを関係付けた新聞データ情報を記憶する。
【００３３】
ここで、図５を参照し、新聞データ記憶部２５２が記憶する新聞データ情報について説明する。図５は、新聞データ記憶部２５２が記憶する新聞データ情報の一例を示す図である。図５に示すように、新聞データ情報は、新聞の発刊日毎の新聞データ情報を格納する。例えば、新聞データ情報は、発刊日情報と、新聞社識別情報と、第一面の紙面データである新聞データのファイル名とを含む。新聞データのファイル名は、新聞データを格納した電子ファイルのファイル名である。なお、新聞データ記憶部２５２は、新聞データのファイル名が示すファイル名の新聞データのファイルを記憶する。
【００３４】
図５に示す新聞データ情報は、発刊日情報が“1980.11.12”（１９８０年１１月１２日）、新聞社識別情報が“AAA”、新聞データのファイル名が“AAA_19801112_TOP”である新聞情報管理情報を含んでいる。なお、新聞データ記憶部２５２は、“AAA_19801112_TOP”をファイル名とする新聞データのファイルを記憶している。また、図５に示す新聞データ情報は、発刊日情報が“1980.11.12”（１９８０年１１月１２日）、新聞社識別情報が“BBB”、新聞データファイル名が“BBB_19801112_TOP”である新聞データ情報を含んでいる。なお、新聞データ記憶部２５２は、“BBB_19801112_TOP”をファイル名とする新聞データのファイルを記憶している。
【００３５】
不変情報記憶部２５４は、記憶部２５０の記憶領域の一部である。不変情報記憶部２５４は、不変情報を記憶する。この一例において、不変情報記憶部２５４は、不変情報として設置場所画像を記憶する。
【００３６】
通信部２６０は、例えば、ＵＳＢ等のデジタル入出力ポートやイーサネットポート等を含んで構成される。
制御部２１０は、表示制御部２１１と、新聞データ取得部２１２と、不変情報取得部２１３と、可変情報生成部２１４と、印刷情報生成部２１５と、会計処理部２１６と、印刷制御部２１７と、入力情報取得部２１８を備える。
表示制御部２１１は、新聞紙面印刷装置１０が表示部２３０に表示させる１以上のＧＵＩ画像を生成する。表示制御部２１１は、生成したＧＵＩ画像を含む画面を表示部２３０に表示させる。表示制御部２１１が表示部２３０に表示させるＧＵＩ画像を含む画面の詳細については、後述する。
【００３７】
新聞データ取得部２１２は、操作入力受付部２４０を介してユーザーから入力された発刊日情報及び新聞社識別情報に基づいて、当該発刊日情報及び当該新聞社識別情報に関係付けられた新聞データのファイル名を新聞データ記憶部２５２から抽出する。そして、新聞データ取得部２１２は、抽出したファイル名のファイルを新聞データ記憶部２５２から読み出す（取得する）。
【００３８】
不変情報取得部２１３は、不変情報記憶部２５４から不変情報を読み出す（取得する）。この一例において、不変情報取得部２１３は、設置場所画像を不変情報記憶部２５４から読み出す。
可変情報生成部２１４は、操作入力受付部２４０を介してユーザーから入力されたスタンプ情報に基づいて可変情報を生成する。この一例において、スタンプ情報には、スタンプ日付情報と、記念日を示す記念日情報と、印刷数情報と、来場者数情報と、占い結果情報とが含まれる。スタンプ情報と、スタンプ情報に基づいて可変情報生成部２１４が可変情報を生成する処理の詳細については、後述する。
【００３９】
印刷情報生成部２１５は、不変情報取得部２１３が読み出した不変情報と、可変情報生成部２１４が生成した可変情報とを組み合わせた印刷情報を生成する。なお、印刷情報生成部２１５は、例えば、当該不変情報と、当該可変情報とをそれぞれ、印刷物上で予め決められた位置に配置させるように印刷情報を生成する。
会計処理部２１６は、釣銭部２８０が取り込んだ貨幣の金額と印刷物の販売価格の金額とに基づいて会計処理を実行する。なお、おつりがある場合には、おつりに相当する金額の硬貨を出力するよう釣銭部２８０を制御してもよい。
【００４０】
印刷制御部２１７は、印刷情報生成部２１５が生成した印刷情報を印刷物として印刷部２７０に印刷させる。また、印刷制御部２１７は、所定の期間において印刷部２７０に印刷させた印刷数を示す情報を印刷数情報として保持（記憶）する。
入力情報取得部２１８は、表示制御部２１１が表示部２３０に表示させたＧＵＩ画像を介して入力された各種の情報を取得する。
【００４１】
以下、図６を参照し、新聞紙面印刷装置１０を適用した新聞紙面印刷システム１の全体構成について説明する。図６は、新聞紙面印刷装置１０を適用した新聞紙面印刷システム１の全体構成の一例を示す図である。図６に示すように、新聞紙面印刷システム１は、３台の新聞紙面印刷装置１０−１〜新聞紙面印刷装置１０−３と、サーバー装置２０を備える。３台の新聞紙面印刷装置１０−１〜新聞紙面印刷装置１０−３と、サーバー装置２０とは、ネットワーク３０を介してそれぞれ接続されている。ネットワーク３０は、例えば、インターネットプロトコル（Ｉｎｔｅｒｎｅｔ  Ｐｒｏｔｏｃｏｌ；ＩＰ）によって通信可能な、コンピューターネットワークである。例えば、ネットワーク３０は、インターネットである。なお、ネットワーク３０は、ローカルエリアネットワーク（Ｌｏｃａｌ  Ａｒｅａ  Ｎｅｔｗｏｒｋ；ＬＡＮ）を含んでもよい。
【００４２】
サーバー装置２０は、新聞の新聞データのマスタを格納する。マスタは、最新の情報である。サーバー装置２０は、最新の新聞データを、新聞紙面印刷装置１０−１〜新聞紙面印刷装置１０−３の新聞データ記憶部２５２にコピーする。なお、例えば、最新の新聞データが記憶された半導体記憶装置（例えば、Ｕｎｉｖｅｒｓａｌ  Ｓｅｒｉａｌ  Ｂｕｓ；ＵＳＢメモリー）から、新聞データを新聞紙面印刷装置１０−１〜新聞紙面印刷装置１０−３のそれぞれにコピーしてもよい。
なお、図６では、新聞紙面印刷システム１が３台の新聞紙面印刷装置１０−１〜新聞紙面印刷装置１０−３を備えたれ例を示したが、新聞紙面印刷装置１０の台数は、３台に限られない。
【００４３】
次に、図７を参照し、新聞紙面印刷装置１０の動作について説明する。図７は、新聞紙面印刷装置１０の処理手順の例を示すフローチャートである。
表示制御部２１１は、デモンストレーション映像（デモ映像）を表示部２３０に表示させる（ステップＳ１００）。このデモ映像は、例えば、新聞紙面印刷装置１０の操作手順や広告を動画やアニメーションで表した映像である。次に、表示制御部２１１は、操作入力受付部２４０を介してタッチ操作が受け付けられるまで待機する（ステップＳ１１０）。なお、ステップＳ１１０において、表示制御部２１１は、操作入力受付部２４０を介してタッチ操作が受け付けられるまでデモ映像を繰り返し表示部２３０に表示させ続ける。
【００４４】
ステップＳ１１０において操作入力受付部２４０を介してタッチ操作が受け付けられた場合（ステップＳ１１０−Ｙｅｓ）、表示制御部２１１は、新聞の種類を選択させるための新聞種類選択メニューを表示部２３０に表示させる（ステップＳ１１５）。ここで、図８を参照し、新聞種類選択メニューについて説明する。
【００４５】
図８は、表示制御部２１１が表示部２３０に表示させる新聞種類選択メニューの一例を模式的に示す図である。図８に示す新聞種類選択メニュー５１は、例えば、４種類の新聞（４社の新聞）からいずれかの新聞を選択させるための新聞社識別情報ＧＵＩ画像を含んでいる。これら新聞社識別情報ＧＵＩ画像のそれぞれには、互いに異なる新聞社識別情報が対応付けられている。また、図８に示す新聞種類選択メニュー５１は、この新聞種類選択メニューを終了させて一つ前のデモンストレーション映像の画面（デモ画面）に戻すための終了選択ＧＵＩ画像（終了ボタン）を含んでいる。
【００４６】
ユーザーは、新聞種類選択メニュー５１に表示された新聞社識別情報ＧＵＩ画像のうちのいずれかをタップすることにより、印刷物に印刷させたい新聞の種類を選択することができる。ユーザーが、新聞種類選択メニュー５１に表示された新聞種類選択ＧＵＩ画像のうちのいずれかをタップした場合、入力情報取得部２１８は、ユーザーがタップした新聞社識別情報ＧＵＩ画像に対応付けられた新聞社識別情報を取得する。
【００４７】
図８に示した例では、新聞種類選択メニュー５１には、「〇〇新聞」を発刊している新聞社を示す新聞社識別情報に対応付けられた新聞社識別情報ＧＵＩ画像と、「〇×新聞」を発刊している新聞社を示す新聞社識別情報に対応付けられた新聞社識別情報ＧＵＩ画像と、「□□新聞」を発刊している新聞社を示す新聞社識別情報に対応付けられた新聞社識別情報ＧＵＩ画像と、「スポーツ△△新聞」を発刊している新聞社を示す新聞社識別情報に対応付けられた新聞社識別情報ＧＵＩ画像とが表示されている。
【００４８】
ステップＳ１１５において、ユーザーが新聞種類選択メニュー５１に含まれる新聞種類選択ＧＵＩ画像のいずれかを選択した後、表示制御部２１１は、メインメニューを表示部２３０に表示させる（ステップＳ１２０）。ここで、図９を詐称し、メインメニューについて説明する。
【００４９】
図９は、表示制御部２１１が表示部２３０に表示させるメインメニューの一例を模式的に示す図である。図９に示すメインメニュー５２は、例えば、ユーザーが所望の新聞の発刊日を入力させるための発刊日入力ＧＵＩ画像と、印刷物に印刷されるスタンプを生成するために必要なスタンプ情報を入力させるためのスタンプ情報入力ＧＵＩ画像とを含む。また、メインメニュー５２は、表示部２３０に表示された画面をメインメニュー５２から新聞種類選択メニュー５１に戻すための戻る選択ＧＵＩ画像（戻るボタン）と、メインメニュー５２を終了させて表示部２３０に表示された画面をデモ画面に戻すための終了選択ＧＵＩ画像（終了ボタン）とを含んでいる。
【００５０】
次に、制御部２１０は、メインメニュー５２を介して操作入力受付部２４０によりユーザーから各種の情報を入力される（ステップＳ１３０）。そして、制御部２１０は、メインメニュー５２を介したユーザーからの情報の入力が終了するまでステップＳ１３０においてユーザーに情報の入力を続けさせる（ステップＳ１４０）。ここで、図１０から図１３を参照し、ステップＳ１３０におけるメインメニュー５２を介したユーザーからの情報の入力について説明する。
【００５１】
図１０は、表示制御部２１１が表示部２３０に表示させる日付入力メニューの一例を示す図である。図９に示したメインメニュー５２の発刊日入力ＧＵＩ画像をユーザーがタップした場合、表示制御部２１１は、図１０に示した日付入力メニュー５３を表示部２３０に表示させる。日付入力メニュー５３は、日付（例えば、年月日）を数字ボタンのタップにより入力させるメニューである。年号は、西暦ボタン、平成ボタン、昭和ボタン、対象ボタン、および明治ボタンの中から任意に選択可能である。
【００５２】
また、一旦入力した数字は、削除ボタンを用いることにより削除可能である。また、日付入力メニュー５３は、日付入力メニュー５３において入力された日付を確定するための確定選択ＧＵＩ画像（確定ボタン）と、日付入力メニュー５３から、直前まで表示されていた画面（例えば、メインメニュー５２）に戻すための戻る選択ＧＵＩ画像（戻るボタン）とを含んでいる。
【００５３】
図９に示したメインメニュー５２の発刊日入力ＧＵＩ画像をユーザーがタップすることにより表示された日付入力メニュー５３において、ユーザーが日付を入力してから確定ボタンをタップした場合、入力情報取得部２１８は、ユーザーが入力した日付を、ユーザーが所望する新聞の発刊日を示す発刊日情報として取得する。そして、ユーザーが戻るボタンをタップした場合、表示制御部２１１は、メインメニュー５２を表示部２３０に表示させる。なお、当該発刊日は、所定の発刊日の一例である。
【００５４】
また、図９に示したメインメニュー５２のスタンプ情報入力ＧＵＩ画像をユーザーがタップした場合、表示制御部２１１は、図１０に示した日付入力メニュー５３を表示部２３０に表示させる。図９に示したメインメニュー５２の日付入力ＧＵＩ画像をユーザーがタップすることにより表示された日付入力メニュー５３において、ユーザーが日付を入力してから確定ボタンをタップした場合、入力情報取得部２１８は、ユーザーが入力した日付を示す情報を前述したスタンプ日付情報として取得する。そして、入力情報取得部２１８がスタンプ日付情報を取得した後、表示制御部２１１は、図１１に示す記念日一覧選択メニュー５４を表示部２３０に表示させる。
【００５５】
図１１は、表示制御部２１１が表示部２３０に表示させる記念日一覧選択メニューの例を模式的に示す図である。記念日一覧選択メニュー５４は、スタンプ日付情報が示す日付にユーザーが対応付けたい所望の記念日をユーザーに選択させるためのメニューである。図１１の記念日一覧選択メニュー５４は、「誕生日」を示す記念日情報に対応付けられた記念日ＧＵＩ画像と、「結婚記念日」を示す記念日情報に対応付けられた記念日ＧＵＩ画像と、「母の日」を示す記念日情報に対応付けられた記念日ＧＵＩ画像と、「父の日」を示す記念日情報に対応付けられた記念日ＧＵＩ画像とを含んでいる。また、図１１は、これらの記念日以外の記念日を示す記念日情報に対応付けられた記念日ＧＵＩ画像を表示させるためのページ切替ＧＵＩ画像（もっと見るボタン）を含んでいる。また、記念日一覧選択メニュー５４は、記念日一覧選択メニュー５４において選択された記念日を確定するための確定選択ＧＵＩ画像（確定ボタン）と、記念日一覧選択メニュー５４から、直前まで表示されていた画面（この一例において、日付入力メニュー５３）に戻すための戻る選択ＧＵＩ画像（戻るボタン）とを含んでいる。
【００５６】
図１１に示した記念日一覧選択メニュー５４において、ユーザーが記念日ＧＵＩ画像のいずれかをタップしてから確定ボタンをタップした場合、入力情報取得部２１８は、ユーザーがタップした記念日ＧＵＩ画像に対応付けられた記念日情報を取得する。そして、入力情報取得部２１８が当該記念日情報を取得した後、表示制御部２１１は、図１２に示す他情報入力メニュー５５を表示部２３０に表示させる。
【００５７】
図１２は、表示制御部２１１が表示部２３０に表示させる他情報入力メニューの例を模式的に示す図である。図１２の他情報入力メニュー５５は、「印刷数」、「来場者数」、及び「占い」の他情報ＧＵＩ画像を含んでいる。また、他情報入力メニュー５５は、他情報入力メニュー５５において選択された情報を確定するための確定選択ＧＵＩ画像（確定ボタン）と、ユーザーによる情報の入力を終了させるための終了選択ＧＵＩ画像（終了ボタン）とを含んでいる。
【００５８】
図１２に示した他情報入力メニュー５５において、ユーザーが他情報ＧＵＩ画像のうちの「印刷数」の他情報ＧＵＩ画像をタップしてから確定ボタンをタップした場合、入力情報取得部２１８は、印刷制御部２１７が保持している印刷数情報を印刷制御部２１７から取得する。また、他情報入力メニュー５５において、ユーザーが他情報ＧＵＩ画像のうちの「来場者数」の他情報ＧＵＩ画像をタップしてから確定ボタンをタップした場合、入力情報取得部２１８は、来場者数情報を記憶している他のサーバーから通信部２６０を介して取得する。また、他情報入力メニュー５５において、ユーザーが終了ボタンをタップした場合、制御部２１０は、ユーザーによる情報の入力が終了したと判定する。なお、ユーザーが「印刷数」の他情報ＧＵＩ画像をタップせずに情報の入力を終了させた場合（すなわち、終了ボタンをタップした場合）、入力情報取得部２１８は、印刷数情報としてヌル情報を取得する。また、ユーザーが「来場者数」の他情報ＧＵＩ画像をタップせずに情報の入力を終了させた場合（すなわち、終了ボタンをタップした場合）、入力情報取得部２１８は、来場者数情報としてヌル情報を取得する。
【００５９】
また、他情報入力メニュー５５において、ユーザーが他情報ＧＵＩ画像のうちの「占い」を表す他情報ＧＵＩ画像をタップした場合、表示制御部２１１は、図１３に示した占い情報入力メニュー５６を表示部２３０に表示させる。図１３は、表示制御部２１１が表示部２３０に表示させる占い情報入力メニューの一例を模式的に示す図である。
【００６０】
情報入力メニューは、占いを行うために使用する情報を入力させるためのメニューである。図１３に示す占い情報入力メニュー５６は、１人目の記念日の日付を入力させるための第１日付入力ＧＵＩ画像と、２人目の記念日の日付を入力させるための第２日付入力ＧＵＩ画像とを含む。また、占い情報入力メニュー５６は、ユーザーによる情報の入力を終了させるための終了選択ＧＵＩ画像（終了ボタン）と、占い情報入力メニュー５６から、直前まで表示されていた画面（例えば、他情報入力メニュー５５）に戻すための戻る選択ＧＵＩ画像（戻るボタン）とを含んでいる。
【００６１】
図１３に示した占い情報入力メニュー５６において、ユーザーが第１日付入力ＧＵＩ画像をタップした場合、表示制御部２１１は、図１０に示した日付入力メニュー５３を表示部２３０に表示させる。ユーザーが当該日付入力メニュー５３を介して日付を入力して当該日付入力メニュー５３の確定ボタンをタップした場合、入力情報取得部２１８は、ユーザーが当該日付入力メニュー５３において入力した日付を示す情報を第１日付情報として取得する。そして、表示制御部２１１は、再び占い情報入力メニュー５６を表示部２３０に表示させる。
【００６２】
また、占い情報入力メニュー５６において、ユーザーが第２日付入力ＧＵＩ画像をタップした場合、表示制御部２１１は、図１０に示した日付入力メニュー５３を表示部２３０に表示させる。ユーザーが当該日付入力メニュー５３を介して日付を入力して当該日付入力メニュー５３の確定ボタンをタップした場合、入力情報取得部２１８は、ユーザーが当該日付入力メニュー５３において入力した日付を示す情報を第２日付情報として取得する。そして、表示制御部２１１は、再び占い情報入力メニュー５６を表示部２３０に表示させる。
【００６３】
また、占い情報入力メニュー５６において、ユーザーが終了ボタンをタップした場合、制御部２１０は、ユーザーによる情報の入力が終了したと判定する。なお、入力情報取得部２１８は、占い情報入力メニュー５６を介してユーザーから第１日付と第２日付とのうちいずれか一方又は両方が入力されずに情報の入力を終了された場合（すなわち、ユーザーが終了ボタンをタップした場合）、第１日付情報及び第２日付情報としてヌル情報を取得する。
以上のように、ユーザーは、図８から図１３に示した各メニューによって、スタンプ情報に含まれる情報のそれぞれを新聞紙面印刷装置１０に入力することができる。このように入力された情報を含むスタンプ情報に基づいて、新聞紙面印刷装置１０は、図７に示したステップＳ１５０から先の処理によって印刷情報を生成し、生成した印刷情報を印刷物として印刷する。
【００６４】
ステップＳ１４０において、ユーザーからの情報の入力が終了したと制御部２１０が判定した場合（ステップＳ１４０−Ｙｅｓ）、制御部２１０は、制御部２１０が備える各機能部の一部に対してスタンプの生成指示を与える。より具体的には、ユーザーからの情報の入力が終了したと制御部２１０が判定した場合、制御部２１０が備える各機能部の一部は、ステップＳ１５０からステップＳ１８０までの処理によってスタンプを生成する。
【００６５】
ステップＳ１４０においてユーザーからの情報の入力が終了したと制御部２１０が判定した場合、新聞データ取得部２１２は、入力情報取得部２１８が取得した新聞識別情報及び発刊日情報に基づいて、当該発刊日情報が示す発刊日に発刊された新聞であり、且つ当該新聞識別情報が示す新聞社の新聞の新聞データのファイルを新聞データ記憶部２５２から読み出す（ステップＳ１５０）。
【００６６】
次に、不変情報取得部２１３は、不変情報記憶部２５４から不変情報を読み出す（ステップＳ１６０）。この一例において、不変情報取得部２１３は、不変情報記憶部２５４から不変情報として設置場所画像を読み出す。次に、可変情報生成部２１４は、入力情報取得部２１８が取得したスタンプ情報に基づいて可変情報を生成する（ステップＳ１７０）。ここで、ステップＳ１７０において可変情報生成部２１４が可変情報を生成する処理について説明する。
【００６７】
可変情報生成部２１４は、入力情報取得部２１８が取得したスタンプ日付情報と、記念日情報とに基づいて日付関連情報を生成する。この一例において、可変情報生成部２１４は、当該スタンプ日付情報と、当該記念日情報とに基づいて、スタンプ日付情報が示す日付を伴った画像であり、且つ当該記念日情報が示す記念日を表す画像である記念日画像を日付関連情報として生成する。
【００６８】
また、可変情報生成部２１４は、入力情報取得部２１８が取得した第１日付情報と、第２日付情報とに基づいて、当該第１日付情報が示す第１日付と、当該第２日付情報が示す第２日付との日付差を算出する。そして、可変情報生成部２１４は、例えば、算出した日付差に対応付けられた占い結果情報を記憶部２５０から読み出す。なお、この一例において、複数の日付差に対応付けられた占い結果情報は、予め記憶部２５０に記憶されているとする。なお、可変情報生成部２１４は、第１日付情報と第２日付情報がヌル情報であった場合、占い結果情報としてヌル情報を記憶部２５０から読み出す。
【００６９】
可変情報生成部２１４は、入力情報取得部２１８が取得した印刷数情報と来場者数情報と、読み出した占い結果情報と、生成した記念日画像とに基づいて可変情報を生成する。より具体的には、可変情報生成部２１４は、例えば、当該印刷情報と、当該来場者数情報と、当該占い結果情報と、当該記念日画像とを含む画像である可変情報画像を可変情報として生成する。また、可変情報生成部２１４は、当該印刷情報と、当該来場者数情報と、当該占い結果情報と、当該記念日画像とが可変情報画像上において所定の配置となるように可変情報画像を生成する。なお、可変情報生成部２１４は、印刷数情報がヌル情報であった場合、印刷数情報を含まない可変情報を生成する。また、可変情報生成部２１４は、来場者数情報がヌル情報であった場合、来場者数情報を含まない可変情報を生成する。また、可変情報生成部２１４は、占い結果情報がヌル情報であった場合、占い結果情報を含まない可変情報を生成する。なお、当該可変情報画像は、当該印刷情報と、当該来場者数情報と、当該占い結果情報と、当該記念日画像とを含む画像に対して何らかの修飾を施した画像であってもよい。
【００７０】
ステップＳ１７０において可変情報生成部２１４が可変情報画像を可変情報として生成した後、印刷情報生成部２１５は、ステップＳ１６０において不変情報取得部２１３が読み出した設置場所画像と、ステップＳ１７０において可変情報生成部２１４が生成した可変情報画像とに基づいてスタンプ（印面情報）を生成する。より具体的には、印刷情報生成部２１５は、当該可変情報画像と、当該設置場所画像とを含むスタンプを生成する。また、印刷情報生成部２１５は、当該可変情報画像と、当該設置場所画像と所定の配置となるようにスタンプを生成する。そして、印刷情報生成部２１５は、生成したスタンプと、ステップＳ１５０において新聞データ取得部２１２が読み出したファイルの新聞データとを組み合わせた情報（当該スタンプと当該新聞データを含む情報）である印刷情報を生成する（ステップＳ１８０）。より具体的には、印刷情報生成部２１５は、当該スタンプと、当該新聞データとが印刷物上において所定の配置となるように印刷情報を生成する。
【００７１】
次に、表示制御部２１１は、図１４に示したプレビュー画像を表示部２３０に表示させる（ステップＳ１９０）。図１４は、制御装置１００が表示装置１１０に表示させるプレビュー画像の一例を模式的に示す図である。図１４に示したプレビュー画像５７には、印刷情報生成部２１５が生成した印刷情報を印刷した場合に印刷物として出力される紙面を表すプレビュー情報８１が含まれる。また、プレビュー画像５７には、画面をメインメニュー５２に戻すための戻る選択ＧＵＩ画像（戻るボタン）と、プレビュー画像５７を終了させて、表示されたプレビュー情報８１を印刷し、印刷物を購入する購入選択ＧＵＩ画像（購入ボタン）とを含んでいる。
【００７２】
次に、制御部２１０は、プレビュー画像５７においてユーザーにより購入ボタンがタップされたか否かを判定する（ステップＳ２００）。プレビュー画像５７においてユーザーにより購入ボタンがタップされていないと判定した場合（ステップＳ２００−Ｎｏ）、制御部２１０は、プレビュー画像５７においてユーザーにより戻るボタンがタップされたか否かを判定する（ステップＳ２０５）。プレビュー画像５７においてユーザーにより戻るボタンがタップされていないと判定した場合（ステップＳ２０５−Ｎｏ）、制御部２１０は、ステップＳ２００に遷移し、再びプレビュー画像５７においてユーザーにより購入ボタンがタップされたか否かを判定する。一方、プレビュー画像５７においてユーザーにより戻るボタンがタップされたと判定した場合（ステップＳ２０５−Ｙｅｓ）、表示制御部２１１は、ステップＳ１２０に遷移し、再びメインメニュー５２を表示部２３０に表示させる。
【００７３】
一方、プレビュー画像５７においてユーザーにより購入ボタンがタップされたと制御部２１０が判定した場合（ステップＳ２００−Ｙｅｓ）、会計処理部２２０は、釣銭部２８０に貨幣が投入されるまで待機する（ステップＳ２１０）。貨幣が釣銭部２８０に投入された場合（ステップＳ２１０−Ｙｅｓ）、会計処理部２２０は、釣銭部２８０が取り込んだ貨幣の金額と印刷物の販売価格の金額とに基づいて会計処理を実行する（ステップＳ２２０）。なお、おつりがある場合には、おつりに相当する金額の硬貨を出力するよう釣銭部２８０を制御してもよい。
【００７４】
次に、印刷制御部２１７は、ステップＳ１８０において印刷情報生成部２１５が生成した印刷情報を印刷部２７０に印刷させる（ステップＳ２３０）。そして、印刷部２７０は、印刷情報が印刷された印刷物を媒体排出口１５から排出する。
【００７５】
以上のように新聞紙面印刷装置１０は、新聞データと印面情報（この一例において、スタンプ）を組み合わせた印刷情報を印刷する。なお、この印面情報は、以下で説明するように、情報処理装置が印面情報に応じた情報を表示することが可能な情報として新聞紙面印刷装置１０が生成する構成であってもよい。この場合、例えば、新聞紙面印刷装置１０は、情報処理装置に情報を表示させるためのＵＲＬ（Ｕｎｉｆｏｒｍ  Ｒｅｓｏｕｒｃｅ  Ｌｏｃａｔｏｒ）と対応付けられた画像を、不変情報記憶部２５４に不変情報として格納している。
【００７６】
当該ＵＲＬと当該画像が対応付けられた対応情報は、例えば、インターネットに接続された対応情報サーバーに格納される。図１５は、当該対応情報サーバーが格納する対応情報の一例を示す図である。図１５に示したように、対応情報には、設置場所画像（この一例における不変情報）と、当該画像に対応付けられたＵＲＬとが格納されている。
【００７７】
例えば、情報処理装置は、情報処理装置が備えるカメラによって新聞紙面印刷装置１０から印刷された印刷物の印面情報を撮像し、撮像された印面情報に対応付けられたＵＲＬを対応情報サーバーに検索させる。この場合、情報処理装置は、移動体通信網や無線ＬＡＮ等によって対応情報サーバーと通信可能に接続されている。そして、情報処理装置は、対応情報サーバーから検索結果として当該ＵＲＬを取得し、取得したＵＲＬが示す情報をインターネットブラウザ等によって表示する。これにより、ユーザーは、例えば、新聞紙面印刷装置１０が設置された場所に関する情報を、新聞紙面印刷装置１０から印刷された印面情報を情報処理装置によって撮像することにより得ることができる。
【００７８】
以上説明したように、実施形態における新聞紙面印刷装置１０は、印刷物に印刷される印面の情報である印面情報（この一例において、スタンプ）を当該印面情報の生成指示毎に生成し、生成した印面情報と、新聞の発刊日を示す発刊日情報が対応付けられた新聞の新聞データを記憶する新聞データ記憶部２５２から読み出した所定の発刊日の新聞データとを組み合わせた印刷物を印刷する。これにより、新聞紙面印刷装置１０は、複数のユーザー毎に異なる印刷物を印刷させることができる。
【００７９】
以上、この発明の実施形態を、図面を参照して詳述してきたが、具体的な構成はこの実施形態に限られるものではなく、この発明の要旨を逸脱しない限り、変更、置換、削除等されてもよい。
【００８０】
また、以上に説明した装置（例えば、教示装置１０）における任意の構成部の機能を実現するためのプログラムを、コンピューター読み取り可能な記録媒体に記録し、そのプログラムをコンピューターシステムに読み込ませて実行するようにしてもよい。なお、ここでいう「コンピューターシステム」とは、ＯＳ（Ｏｐｅｒａｔｉｎｇ  Ｓｙｓｔｅｍ）や周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
【００８１】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【００８２】
１  新聞紙面印刷システム、１０、１０−１、１０−２、１０−３  新聞紙面印刷装置、１１  筐体、１２  フレーム、１３  投入排出口、１４  開口部、１５  媒体排出口、１６  パネル、２０  サーバー装置、３０  ネットワーク、１００  制御装置、１１０  表示装置、１２０  タッチパネル、１３０  印刷機、１４０  釣銭機、２１０  制御部、２１１  表示制御部、２１２  新聞データ取得部、２１３  不変情報取得部、２１４  可変情報生成部、２１５  印刷情報生成部、２１６  会計処理部、２１７  印刷制御部、２１８  入力情報取得部、２３０  表示部、２４０  操作入力受付部、２５０  記憶部、２５２  新聞データ記憶部、２５４  不変情報記憶部、２６０  通信部、２７０  印刷部、２８０  釣銭部
【図１】
2017021600.tif 000003
【図２】
2017021600.tif 000004
【図３】
2017021600.tif 000005
【図４】
2017021600.tif 000006
【図５】
2017021600.tif 000007
【図６】
2017021600.tif 000008
【図７】
2017021600.tif 000009
【図８】
2017021600.tif 000010
【図９】
2017021600.tif 000011
【図１０】
2017021600.tif 000012
【図１１】
2017021600.tif 000013
【図１２】
2017021600.tif 000014
【図１３】
2017021600.tif 000015
【図１４】
2017021600.tif 000016
【図１５】
2017021600.tif 000017